(57)【要約】【課題】読影の際に必要とされる医用画像を自動的に提示することで、読影作業の効率低下や読影精度の低下を防止する画像観察システムを提供する。【解決手段】画像観察システムは、複数の画像を並べて表示可能な表示部を有し、この表示部に表示された複数の画像の組み合わせに関する情報を複数の画像のうちの少なくとも１つの画像の種別を表す情報と関連付けて組み合わせ情報として記憶しておく。そして、入力部を用いて表示部に表示させる画像を指定入力されると、指定された画像の種別を表す情報に基づいて、記憶された組み合わせ情報を参照して画像を検索し、検索結果として複数の画像の組み合わせを表示部に表示させる。【選択図】図１
2010088709.tif 000002
【特許請求の範囲】
【請求項１】
複数の画像を並べて表示可能な表示部と、
この表示部に表示された複数の画像の組み合わせに関する情報を複数の画像のうちの少なくとも１つの画像の種別を表す情報と関連付けて組み合わせ情報として記憶する管理部と、
前記表示部に表示させる画像を指定入力するための入力部と、
前記入力部により指定された画像の種別を表す情報に基づいて、前記管理部の組み合わせ情報を参照して、画像を検索する検索部と、
検索結果として複数の画像の組み合わせを前記表示部に表示させる表示制御部と、
を備えること、
を特徴とする画像観察システム。
【請求項２】
前記複数の画像の組み合わせに関する情報は、画像を撮影した相対的な検査時期を含み、
前記検索部は、前記相対的な検査時期に基づき画像を検索すること、
を特徴とする請求項１記載の画像観察システム。
【請求項３】
前記複数の画像の組み合わせに関する情報は、各画像の撮影条件を含み、
前記検索部は、前記各画像の撮影条件に基づき画像を検索すること、
を特徴とする請求項１記載の画像観察システム。
【請求項４】
前記画像の種別を表す情報は、少なくともモダリティ情報と部位情報のいずれかを含むこと、
を特徴とする請求項１記載の画像観察システム。
【請求項５】
前記管理部は、前記表示部に複数の画像が表示された際に、当該複数の画像の組み合わせ情報を記録すると共に、同一内容の組み合わせ情報が記録されている件数を記録しておき、
前記検索部は、所定数以上の組み合わせ情報に基づき画像を検索すること、
を特徴とする請求項１記載の画像観察システム。
【請求項６】
前記管理部は、前記表示部に複数の画像が表示された際に、当該複数の画像の組み合わせ情報を記録すると共に、同一内容の組み合わせ情報が記録されている件数を記録しておき、
前記検索手段は、前記管理部の複数の組み合わせ情報を参照して画像を検索し、
前記表示制御部は、複数の検索結果を前記件数順に前記表示部に表示させること、
を特徴とする請求項１記載の画像観察システム。
【請求項７】
前記表示制御部は、検索結果としての複数の画像の組み合わせをサムネイル画像の組み合わせで表示させること、
を特徴とする請求項１記載の画像観察システム。
【発明の詳細な説明】
【技術分野】
【０００１】
この発明は、データベース化して蓄積した医用画像を表示する画像観察システムに関する。
【背景技術】
【０００２】
医師等による読影作業には経過観察の工程を有し、読影対象となる医用画像と比較対象となる画像や、その他の画像同士を並べて同時表示することが一般的である。従来より、病院内には画像診断装置で撮影された医用画像がデータベース化して蓄積されており、医師等が比較対象としたい医用画像をキーワード検索等によって探索していた。具体的には、読影対象となる医用画像の属性から取得すべき医用画像の属性を推測し、医用画像とその医用画像の情報主体となった患者のＩＤと検査ＵＩＤと検査部位と撮影条件と撮影時刻等が関連づけられたデータベースを用いて画像を検索する。
【０００３】
そのため、医師等が所望する医用画像より比較対象として良好な医用画像の探索に時間を要してしまい、読影作業の効率が低下してしまうおそれがあった。或いは、それら画像の探索に失敗することで読影精度を欠くおそれがあった。
【０００４】
近年、共有オブジェクトと呼ばれる技術が提示されている（例えば、「特許文献１」参照。）。この共有オブジェクトとは、画像診断装置側で生成されるシリーズ毎のデータであり、撮影した画像を特定する情報とその画像を撮影するために参照された画像を特定する参照情報等を関連づけたものである。
【０００５】
そこで、読影対象の画像に対応する共有オブジェクトに含まれる参照情報が特定する医用画像を読影対象の画像と並べて同時表示させる技術が提示されている（例えば、「特許文献２」参照。）。この技術によれば、自動的に読影対象の画像とその対象画像とを同時に並べて表示させることができるため、医師等が対象画像の検索作業を行う必要がなくなる。
【０００６】
しかし、この共有オブジェクトに含まれる参照情報が特定する医用画像は、過去の検査と撮影位置を合わせたり、撮影条件を合わせたりするために撮影の際に参照された画像である。そのため、必ずしも読影の比較対象として適当であるとはいえない。共有オブジェクトを参照して取得した対象画像が比較対象としてふさわしくない場合は、結局医師等による検索工程が実施されることとなり、読影作業の効率低下や読影精度の低下を招来するおそれが生じる。
【０００７】
【特許文献１】特開２００７−１６７６３４号公報
【特許文献２】特開２００７−３７１１８号公報
【発明の開示】
【発明が解決しようとする課題】
【０００８】
この発明は、上述のような問題点に鑑みてなされたものであり、その目的とするところは、読影の際に必要とされる医用画像を自動的に提示することで、読影作業の効率低下や読影精度の低下を防止する画像観察システムを提供することにある。
【課題を解決するための手段】
【０００９】
上記課題を解決するために、請求項１記載の本発明に係る画像観察システムは、複数の画像を並べて表示可能な表示部と、この表示部に表示された複数の画像の組み合わせに関する情報を複数の画像のうちの少なくとも１つの画像の種別を表す情報と関連付けて組み合わせ情報として記憶する管理部と、前記表示部に表示させる画像を指定入力するための入力部と、前記入力部により指定された画像の種別を表す情報に基づいて、前記管理部の組み合わせ情報を参照して、画像を検索する検索部と、検索結果として複数の画像の組み合わせを前記表示部に表示させる表示制御部と、を備えること、を特徴とする。
【００１０】
前記複数の画像の組み合わせに関する情報は、画像を撮影した相対的な検査時期を含み、前記検索部は、前記相対的な検査時期に基づき画像を検索するようにしてもよい（請求項２記載の発明に相当）。
【００１１】
前記複数の画像の組み合わせに関する情報は、各画像の撮影条件を含み、
前記検索部は、前記各画像の撮影条件に基づき画像を検索するようにしてもよい（請求項３記載の発明に相当）。
【００１２】
前記画像の種別を表す情報は、少なくともモダリティ情報と部位情報のいずれかを含むようにしてもよい（請求項４記載の発明に相当）。
【００１３】
前記管理部は、前記表示部に複数の画像が表示された際に、当該複数の画像の組み合わせ情報を記録すると共に、同一内容の組み合わせ情報が記録されている件数を記録しておき、前記検索部は、所定数以上の組み合わせ情報に基づき画像を検索するようにしてもよい（請求項５記載の発明に相当）。
【００１４】
前記管理部は、前記表示部に複数の画像が表示された際に、当該複数の画像の組み合わせ情報を記録すると共に、同一内容の組み合わせ情報が記録されている件数を記録しておき、前記検索手段は、前記管理部の複数の組み合わせ情報を参照して画像を検索し、前記表示制御部は、複数の検索結果を前記件数順に前記表示部に表示させるようにしてもよい（請求項６記載の発明に相当）。
【００１５】
前記表示制御部は、検索結果としての複数の画像の組み合わせをサムネイル画像の組み合わせで表示させるようにしてもよい（請求項７記載の発明に相当）。
【発明の効果】
【００１６】
本発明によれば、過去の読影作業で行われた画像の組合わせ方を再現でき、読影作業により適当な画像が提示され、読影作業の効率が向上するとともに、読影精度の低下を防止する。
【発明を実施するための最良の形態】
【００１７】
以下、本発明に係る画像観察システムの好適な実施形態について、図面を参照しながら具体的に説明する。
【００１８】
図１は、画像観察システム１の構成を示す図である。画像観察システム１は、画像診断装置４が生成した医用画像と共有オブジェクトをデータベース化して蓄積しておき、操作者の操作に応答して医用画像を検索して表示する。画像観察システム１は、主に読影に使用される。一般的に読影の際には経過観察のために、読影対象となる医用画像と比較対象となる医用画像や、その他の医用画像同士を並べて表示させる。この画像観察システム１では、過去に画像観察システム１を使用して行われた読影作業において同時表示された画像の組合わせ方を蓄積しておき、読影作業の際にその組合わせ方を再現する。即ち、過去に行われた組合わせ方を提示し、選択された組合わせ方に倣って医用画像を組み合わせ、それらを同時に並べて表示する。
【００１９】
この画像観察システム１は、画像保管装置２と画像観察装置３とを無線又は有線のネットワークで接続して構成される。
【００２０】
画像保管装置２は、演算制御装置、主記憶装置、外部記憶装置、及び通信インターフェースから構成されるサーバである。画像保管装置２は、画像診断装置４が生成した医用画像と共有オブジェクトをデータベースに登録して蓄積する。画像診断装置４とは、Ｘ線ＣＴ装置、ＭＲＩ装置、超音波診断装置、またはＣＲ装置等のモダリティである。共有オブジェクトは、撮影条件、撮影した医用画像を特定する情報、及び撮影の際に参照した医用画像を特定する参照情報を含んだデータであり、１連の撮影により得られたシリーズに対応して生成される。
【００２１】
また、画像観察装置３は、演算制御装置、主記憶装置、外部記憶装置、通信インターフェース、キーボードやマウス等の操作部３１、及び液晶ディスプレイや有機ＥＬディスプレイ等の表示部３３から構成されるコンピュータである。この画像観察装置３は、医用画像を画像保管装置２からネットワークを介して受信して表示する。
【００２２】
画像観察装置３が受信する医用画像は、読影対象となる医用画像とそれに関連する医用画像である。読影対象となる医用画像は、操作部３１を用いた選択操作によって取得される。選択操作によって特定された医用画像の取得要求が画像観察装置３から画像保管装置２へ送信されることにより、画像保管装置２からその取得要求に沿った医用画像と関連する医用画像とが画像観察装置３へ送信される。以下、選択操作によって取得される医用画像を主画像という。
【００２３】
関連する医用画像とは、第１に共有オブジェクトに含まれている参照情報で特定される医用画像である。第２に同一患者の過去の検査で得られた医用画像である。第３に過去の読影作業において同時に並べて表示された医用画像群の組合わせ方に倣った医用画像群である。
【００２４】
組合わせ方は、組み合わされた画像が撮影された検査時期及びこれに加えて検査の種類で特定され、具体的には、主画像に対する前回ＣＴ検査の画像と前々回ＣＴ検査の画像との組合わせや、主画像と前回ＣＲ検査の画像との組合わせ等である。即ち、組合わせ方に倣った画像群とは、過去に主画像に対する前回ＣＴ検査の画像と前々回ＣＴ検査の画像との組合わせで同時表示された履歴が存在すれば、今回の読影作業で選択操作された画像を撮影した検査を基準として前回に相当するＣＴ検査の画像と前々回に相当するＣＴ検査の画像である。
【００２５】
この組合わせ方に倣った医用画像は、後述する組合わせ情報２６１を参照して取得される。組合わせ情報２６１は、過去の読影作業において行われた組合わせ操作の記録である。
【００２６】
図１に示すように、画像保管装置２は、データ登録部２１、データベース２２、データ記憶部２３、組合わせ情報管理部２４、及び検索部２５を備える。また、画像観察装置３は、操作部３１と表示部３３の他、表示制御部３２と組合わせ監視部３４を備える。これら構成は、演算制御装置、主記憶装置、外部記憶装置、及び通信インターフェースを含み、外部記憶装置に記憶されているプログラムを適宜主記憶装置に展開し、演算制御装置で解読及び命令実行することで実現される。
【００２７】
データ登録部２１は、画像診断装置４からネットワークを介して入力された医用画像と共有オブジェクトとをデータベース２２に登録しつつ、データ記憶部２３に蓄積させる。データ登録部２１は、医用画像に付帯する患者ＩＤ、検査ＵＩＤ、撮影時刻、シリーズＵＩＤ、画像診断装置４の種類、検査部位等を一枚の医用画像のレコードに関連づける。データ登録部２１は、これら情報を医用画像に付帯する付帯情報から読み出し、関連づけてデータベース２２に記憶させる。
【００２８】
検索部２５は、画像観察装置３から送信された画像取得要求に応答して、データベース２２から該当の医用画像とそれに関連する医用画像を検索し、画像観察装置３へ送信する。画像取得要求は、例えばクエリー／リトリーブコマンドである。即ち、検索部２５は、画像取得要求された主画像と、その主画像のシリーズに関する共有オブジェクトに含まれている参照情報で特定される医用画像と、組合わせ情報２６１で特定される医用画像とを画像観察装置３へ送信する。
【００２９】
表示制御部３２は、操作部３１を用いた操作に応答して医用画像を表示部３３に表示させる。操作部３１が主画像の選択操作を受け付けると、表示制御部３２は、画像保管装置２から選択操作に係る医用画像及びその関連の医用画像を取得する。
【００３０】
また、表示制御部３２は、同時に並べて表示させる医用画像を選択する組合わせ操作を操作部３１から受けて、その組合わせ操作に対応する医用画像を並べて表示させる。例えば、主画像と共有オブジェクトに含まれている参照情報で特定される医用画像の組合わせや、過去の組合わせ操作から特定される組合わせ方に倣った医用画像のうち選択された組合わせを表示させる。
【００３１】
組合わせ監視部３４は、組合わせ操作を監視し、その内容を組合わせ情報管理部２４に送信する。組合わせ情報管理部２４は、組合わせ操作の内容を一般化してデータベース２２に記録しておく。この一般化された内容が組合わせ情報２６１となる。即ち、組合わせ情報２６１は、過去の読影作業のうち、組合わせ操作を履歴として管理することで生成される。
【００３２】
まず、組合わせ情報２６１について詳細に説明する。図２は、データベース２２に記録された組合わせ情報テーブル２６を示すデータ構成図である。組合わせ情報管理部２４は、組合わせ情報２６１を組合わせ情報テーブル２６に追加する。組合わせ監視部３４は、医用画像を組み合わせる組合わせ操作が行われる毎にその内容を画像保管装置２に送信する。組合わせ情報管理部２４は、組合わせ操作の内容を受信する毎に組合わせ情報２６１を生成する。
【００３３】
組合わせ情報２６１には、主検査ＵＩＤ２６２、主検査モダリティ情報２６３、主検査部位情報２６４、主検査患者ＩＤ２６５、操作コード２６６、関係コード２６７、撮影条件コード２６８、及び評価値情報２６９が関連づけられている。
【００３４】
主検査ＵＩＤ２６２、主検査モダリティ情報２６３、主検査部位情報２６４、及び主検査患者ＩＤ２６５は、組合わせ操作が行われたときの主画像の種類を示し、その主画像を撮影した検査に関する情報である。操作コード２６６は、組合わせ操作の種類を示す。関係コード２６７は、組み合わされた各画像と主画像との関係を示し、主画像が撮影された撮影時期を基点とした画像の相対的な撮影時期とその組合わせで表わされる。撮影条件コード２６８は、組合わせ操作の対象となった組合わせの各画像の撮影条件の区分を示す。評価値情報２６９は、同一内容の組合わせ情報２６１が記録されている件数を示す。
【００３５】
例えば、レコードナンバー２の組合わせ情報２６１は、主検査モダリティ情報２６３がＸ線ＣＴ装置、及び主検査部位情報２６４が胸部であるので、Ｘ線ＣＴ装置で胸部を撮影して得られた医用画像を主画像として選択操作としたときに行われた過去の組合わせ操作に対応して記録されたものである。
【００３６】
また、レコードナンバー２の組合わせ情報２６１は、操作コード２６６が「１０」であるので、その組合わせ操作では、複数の医用画像が組み合わせて表示されたことを示す。
【００３７】
また、レコードナンバー２の組合わせ情報２６１は、関係コード２６７が「００＾１１」であるので、その組合わせ操作では、「００」が表わす主画像と、「１１」が表わすその主画像の前回ＣＴ検査の画像とが組み合わせられて表示されたことを示す。
【００３８】
また、レコードナンバー２の組合わせ情報２６１は、撮影条件コード２６８が「００００１＾００００１」であるので、組み合わせて表示された両画像は「００００１」で示される撮影条件で撮影されたものであることを示す。
【００３９】
また、レコードナンバー２の組合わせ情報２６１は、評価値情報２６９が「３０」であるので、主検査モダリティ情報２６３、主検査部位情報２６４、操作コード２６６、関係コード２６７、及び撮影条件コード２６８がレコードナンバー２と同一である他の組合わせ情報２６１が計３０件存在することを示す。
【００４０】
操作部３１を用いて任意の医用画像が読影作業のために選択され、その医用画像がＸ線ＣＴ装置で撮影され、かつ胸部を撮影したものであれば、検索部２５は、このレコードナンバー２の組合わせ情報２６１を参照して画像を検索する。表示制御部３２は、その選択操作に応答して、選択された医用画像と、その医用画像を撮影した検査の前回に相当するＣＴ検査において「００００１」で示す撮影条件で撮影された医用画像とを組み合わせて表示する組合わせ方を提示する。そして、その組合わせ方が選択されれば、表示制御部３２は、検索部２５が検索したこれら画像を組み合わせて並べて表示する。
【００４１】
図３及び図４に基づき、組合わせ情報２６１の生成の契機となる選択操作及び組合わせ操作について説明する。図３は、表示制御部３２が表示部３３に表示させるビューア画面３５を示す模式図である。図４は、読影作業における操作とその応答動作を示すフローチャートである。
【００４２】
まず、Ｓ０１において、表示制御部３２は、ビューア画面３５を表示部３３に表示させる。
【００４３】
表示制御部３２は、ビューア画面３５のフォーマットを予め記憶している。表示制御部３２は、このフォーマットに画像等を配置してビューア画面３５を生成し、表示部３３に表示させる。ビューア画面３５は、画像表示領域３５２、検査別タグ３５３、サムネイルフィールド３５４、及び組合わせリスト表示領域３５５で区切られている。
【００４４】
画像表示領域３５２は、操作部３１を用いて選択された医用画像が表示される領域である。検査別タグ３５３は、同一患者の過去の検査を選択するためのタグ状のアイコンである。サムネイルフィールド３５４は、選択された検査の医用画像がシリーズ単位で一覧として配置される領域である。組合わせリスト表示領域３５５は、組合わせ情報２６１が示す組合わせ方に倣って画像を組み合わせて生成された組合わせ画像３５６が配置される領域である。
【００４５】
組合わせ画像３５６は、画像表示領域３５２に表示する画像の組合わせ方を提示し、かつその組合わせ方に倣って実際に画像を組み合わせたものをサムネイル化したアイコンである。この組合わせ画像３５６は、例えば、主画像とその前回ＣＴ検査の画像を組み合わせた画像や、前回ＣＴ検査の画像と前々回ＣＴ検査の画像を組み合わせた画像で組合わせ方を提示する。
【００４６】
表示制御部３２は、各種の操作に応答して各種画像を収集し、実際に画像表示領域３５２に医用画像を配置する。
【００４７】
第１に、Ｓ０２乃至Ｓ０４に示すように、表示制御部３２は、主画像の選択操作に応答して（Ｓ０２）、主画像及び関連する医用画像を収集し（Ｓ０３）、主画像と組合わせ画像３５６を表示する（Ｓ０４）。選択操作は、操作部３１を用いた主画像を特定する情報の入力である。主画像は、この選択操作で特定される画像であり、多くは画像観察装置３を用いて読影対象となる画像である。
【００４８】
表示制御部３２は、ビューア画面３５にファイルアイコンを設置する。ファイルアイコンは、医用画像の表示に関するＧＵＩ操作を行うためのアイコンである。このファイルアイコンから「開始」が選択されると、表示制御部３２は、主画像選択ウィンドウ３５１を表示部３３に表示させる。
【００４９】
主画像選択ウィンドウ３５１には、主画像を選択するために必要な患者ＩＤや検査ＩＤやシリーズＩＤ等が入力される。表示制御部３２は、入力された情報を画像保管装置２に送信する。
【００５０】
検索部２５は、受信した情報に対応した主画像とそれに関連する医用画像を共有オブジェクトとデータベース２２と組合わせ情報２６１を参照して検索し、画像観察装置３に送信する。尚、後述するように、検索部２５は、主画像の選択操作のときに受信した患者ＩＤに関連づけられた過去の検査を時系列に並べ、主画像の検査を基点として関係コード２６７及び撮影条件コード２６８と一致する画像を検索し、それら画像を画像観察装置３に送信している。
【００５１】
表示制御部３２は、画像観察装置３から送信された主画像と共有オブジェクトに含まれる参照情報で特定される医用画像とを画像表示領域３５２に並べて配置する。また、表示制御部３２は、組合わせ情報２６１を参照して検索された医用画像を組合わせ情報２６１が示す組合わせ方で組み合わせることで組合わせ画像３５６を生成し、組合わせリスト表示領域３５５に配置する。
【００５２】
第２に、Ｓ０５乃至Ｓ１０に示すように、表示制御部３２は、操作部３１を用いた組合わせ操作に応答して画像表示領域３５２に医用画像を組み合わせて配置する。組合わせ操作は、組合わせ方の選択操作（Ｓ０５）、画像表示領域３５２への医用画像の追加操作（Ｓ０７）、組合わせ方の新規生成操作（Ｓ０８）である。
【００５３】
Ｓ０５の組合わせ方の選択操作では、組合わせ画像３５６が操作部３１を用いて選択されると（Ｓ０５，Ｙｅｓ）、表示制御部３２は、その組合わせ画像３５６が表わす組み合わせの医用画像を画像表示領域３５２に配置する（Ｓ０６）。
【００５４】
例えば、選択された組合わせ画像３５６が前回ＣＴ検査の画像と前々回ＣＴ検査の画像の組合わせを提示するものであったものとする。このとき、表示制御部３２は、主画像を撮影した検査を基点にして前回ＣＴ検査と前々回ＣＴ検査の画像を画像表示領域３５２に配置する。
【００５５】
Ｓ０７の画像表示領域３５２への追加操作では（Ｓ０７，Ｙｅｓ）、操作部３１を用いてサムネイルフィールド３５４から選択された医用画像が画像表示領域３５２に追加されて配置される（Ｓ０８）。
【００５６】
具体的には、検索部２５は、データベース２２を参照して、選択操作に応答して送信されてきた患者ＩＤが関連づけられている過去の検査をリスト形式で画像観察装置３に送信する。表示制御部３２は、リストにある各検査を検査別タグ３５３としてビューア画面３５上に配置する。操作部３１を用いて検査別タグ３５３のうちの一つが選択されると（図中(1)、表示制御部３２は、その検査別タグ３５３が表わす検査の医用画像の一覧をサムネイルフィールド３５４に配置する。サムネイルフィールド３５４上の医用画像は、選択された検査を表わす検査ＵＩＤ等の特定情報を画像保管装置２に送信することで検索部２５により検索される。
【００５７】
操作部３１を用いてサムネイルフィールド３５４に配置されている医用画像のうちの一枚が選択され（図中(2)）、組合わせ編集アイコンから「追加」が選択されると（図中(3)）、表示制御部３２は、その医用画像を画像表示領域３５２に配置する。組合わせ編集アイコンは、表示する画像の組合わせに関するＧＵＩ操作を行うためのアイコンであり、表示制御部３２によりビューア画面３５上に設置される。
【００５８】
Ｓ０９の組合わせ方の新規生成操作では（Ｓ０９，Ｙｅｓ）、表示制御部３２は、新たな組合わせ方を表わす組合わせ画像３５６を生成し、組合わせリスト表示領域３５５に配置する（Ｓ１０）。
【００５９】
追加操作等の後に組合わせ編集アイコンから「保存」が選択されると（図中(3)）、表示制御部３２は、画像表示領域３５２に配置されている複数の医用画像を組み合わせた組合わせ画像３５６を生成し、組合わせリスト表示領域３５５に追加する（図中(4)）。例えば、主画像のみが配置されている画像表示領域３５２に前々回ＣＲ検査の画像が追加操作され、その後に新規追加操作がなされると、この主画像と前々回ＣＲ検査の画像を組み合わせた組合わせ画像３５６が追加される。
【００６０】
また、組合わせ画像３５６及び画像表示領域３５２に組み合わせて表示されている画像群の中から、複数を選択し、編集アイコンから「合成」が選択されると、表示制御部３２は、選択対象を全て並べた組合わせ画像３５６を生成し、組合わせリスト表示領域３５５に追加する。
【００６１】
このように、読影作業おいては、各種の組合わせ操作が行われている。これら組合わせ操作が行われると、Ｓ１１において、組合わせ情報管理部２４は、その組合わせ操作で特定される組合わせ方を示す組合わせ情報２６１を生成し管理する。この処理は、終了操作が行われるまで（Ｓ１２，Ｙｅｓ）、操作に応答して繰り返される。
【００６２】
図５は、Ｓ１１における組合わせ情報２６１の生成動作を詳細に示すフローチャートである。
【００６３】
組合わせ操作があると（Ｓ０５，０７，０９）、組合わせ監視部３４は、主画像の検査ＵＩＤ、モダリティ情報、部位情報、及び患者ＩＤを付帯情報から読み出し、画像保管装置２へ送信する（Ｓ２１）。また、組合わせ監視部３４は、組合わせ操作の対象となった対象画像の検査ＵＩＤ、モダリティ情報、及び撮影条件を付帯情報から読み出し、画像保管装置２へ送信する（Ｓ２２）。また、組合わせ監視部３４は、組合わせ操作の種類を示す情報を画像観察装置３へ送信する（Ｓ２３）。
【００６４】
組合わせ情報管理部２４は、組合わせ操作の種類を操作コード２６６に変換して（Ｓ２４）、組合わせ情報２６１として記録するか判断する（Ｓ２５）。
【００６５】
この操作コード２６６は、図６に示す記録判断テーブル２７を用いて生成される。図６は、記録判断テーブル２７を示すデータ構成図である。
【００６６】
組合わせ情報管理部２４は、予め記録判断テーブル２７を記憶している。記録判断テーブル２７には、組合わせ操作の種類に対応する操作コード２６６と、組合わせ操作の種類に対応してその内容を組合わせ情報テーブル２６に記録するか否かを示す要否を示す情報とが記録されている。
【００６７】
組合わせ情報管理部２４は、受信した組合わせ操作の種類を示す情報を記録判断テーブル２７を参照して操作コード２６６に変換し、要否を示す情報を参照して、記録の要否を判断する。
【００６８】
要否を示す情報が「１」で示される要であれば、記録が必要であり（Ｓ２５，Ｙｅｓ）、Ｓ２６乃至Ｓ３８へ進んで、組合わせ情報２６１を組合わせ情報テーブル２６に記録する。一方、要否を示す情報が「０」で示される否であれば、記録は不要であり（Ｓ２５，Ｎｏ）、組合わせ情報２６１の生成処理を終了する。
【００６９】
記録が必要であれば（Ｓ２５，Ｙｅｓ）、組合わせ情報管理部２４は、組合わせ情報テーブル２６に新規の組合わせ情報２６１のレコードを生成し（Ｓ２６）、取得した操作コード２６６を組合わせ情報２６１に記録する（Ｓ２７）。
【００７０】
例えば、組合わせ操作の内容が「開始」であれば、対応する「００」の操作コード２６６を生成し、対応する要否を表わす情報が要を示す「１」のため、「開始」に係る組合わせ情報２６１を記録する。また、組合わせ操作の内容が「終了」であれば、対応する「９９」の操作コード２６６を生成し、対応する要否を表わす情報が要を示す「１」のため、「開始」に係る組合わせ情報２６１を記録する。この「００」と「９９」の操作コード２６６を有する組合わせ情報２６１で時刻上挟まれた各組合わせ情報２６１が一度の読影作業で行われた一連の組合わせ操作の履歴となる。
【００７１】
また、組合わせ画像３５６の選択操作を示す「表示」であれば、対応する「１０」の操作コード２６６を生成し、対応する要否を表わす情報が要を示す「１」のため、「表示」に係る組合わせ情報２６１を記録する。その他、画像表示領域３５２に表示させた組合わせ方を保存する組合わせ操作、及び画像表示領域３５２に新たな医用画像を追加する組合わせ操作についても組合わせ情報２６１として記録する。
【００７２】
更に、組合わせ情報管理部２４は、主画像の種類を新たに生成した組合わせ情報２６１に記録する（Ｓ２８）。記録する主画像の種類は、受信した主画像の検査ＵＩＤ、モダリティ情報、部位情報、及び患者ＩＤである。
【００７３】
また、組合わせ情報管理部２４は、Ｓ２９乃至Ｓ３５の処理に進み、関係コード２６７を組合わせ情報２６１に記録する。
【００７４】
関係コード２６７は、受信した対象画像の検査ＵＩＤ及びモダリティ情報に応じて図７に示す関係情報取得テーブル２８とデータベース２２を用いて生成される。
【００７５】
図７は、関係情報取得テーブル２８を示すデータ構成図である。組合わせ情報管理部２４は、予め関係情報取得テーブル２８を記憶している。関係情報取得テーブル２８は、モダリティ情報と相対的な実施時期の組合わせ毎に関係コード２６７が記録されている。相対的な実施時期は、組合わせ操作の対象となった画像の検査の回を示し、主画像を基準として遡る回数を示している。具体的には、組合わせ操作の対象となった画像の検査が主画像の検査に対して前回であれば、主画像の検査から１回遡るとその検査に該当するので、相対的な実施時期は前回を示す「１」である。即ち、関係コード２６７は、主画像を基準として何回前の検査の画像であるかを示し、更に検査をしたモダリティ情報で細分化したものである。
【００７６】
具体的には、まずＳ２９において、組合わせ情報管理部２４は、データベース２２から主画像と同一患者の検査が関連づけられたレコードを抽出し、時系列で並び替える。そして、組合わせ情報管理部２４は、主画像の検査ＵＩＤを含むレコードをデータベース２２から特定し（Ｓ３０）、対象画像の検査ＵＩＤを含むレコードをデータベース２２から特定する（Ｓ３１）。
【００７７】
次に、Ｓ３２において、組合わせ情報管理部２４は、この並び替えたデータベース２２を参照して、主画像の検査時期を基点とした対象画像の相対的な実施時期をカウントする。主画像の検査ＵＩＤを含むレコードを０としてカウントを開始し、対象画像の検査ＵＩＤを含むレコードに到達するまでレコードを経る毎にカウントアップし、そのカウント結果を相対的な実施時期とする。
【００７８】
尚、主画像も組合わせ操作の対象となることがある。表示や追加の操作のときに画像表示領域３５２に主画像が存在するときには、その主画像も組合わせ操作の対象となった画像とする。このとき、主画像の検査ＵＩＤを含むレコードと対象画像の検査ＵＩＤを含むレコードとは同一につきカウント結果は０となるため、相対的な実施時期は０である。
【００７９】
そして、Ｓ３３において、組合わせ情報管理部２４は、取得したカウント結果及びモダリティ情報に関連づけられている関係コード２６７を関係情報取得テーブル２８から取得し、組合わせ情報２６１に記録する。
【００８０】
組合わせ情報管理部２４は、組合わせ操作の対象となった全ての対象画像についての関係コード２６７を組合わせ情報２６１に追加するまで（Ｓ３５，Ｙｅｓ）、このＳ３１〜Ｓ３４の処理を繰り返す。
【００８１】
また、組合わせ情報管理部２４は、Ｓ３６乃至Ｓ３８の処理に進み、撮影条件コード２６８を組合わせ情報２６１に記録する。撮影条件コード２６８は、対象画像の撮影条件に応じて図６に示す撮影条件情報取得テーブル２９を用いて生成される。図８は、撮影条件情報取得テーブル２９を示すデータ構成図である。
【００８２】
組合わせ情報管理部２４は、予め撮影条件情報取得テーブル２９を記憶している。撮影条件情報取得テーブル２９には、各種の撮影条件の組合わせ毎に撮影条件コード２６８が関連づけられている。撮影条件としては、画像診断装置４の種類、撮影部位、視野位置、画像の方向、管電圧、管電流、スライス厚、再構成関数、造影剤の種別、画像の種類、スキャンシーケンスの種類、エコー時間が組み合わせられている。
【００８３】
組合わせ監視部３４は、対象画像の撮影条件と関連づけられている撮影条件コード２６８を撮影条件情報取得テーブル２９から取得し（Ｓ３６）、組合わせ情報２６１に記録する（Ｓ３７）。
【００８４】
組合わせ情報管理部２４は、組合わせ操作の対象となった全ての対象画像についての撮影条件コード２６８を組合わせ情報２６１に追加するまで（Ｓ３８，Ｙｅｓ）、このＳ３６及びＳ３７の処理を繰り返す。
【００８５】
尚、評価値情報２６９は、組合わせ情報管理部２４により同一の組合わせ情報２６１の数がカウントされ、その件数が組合わせ情報２６１に含められる。同一の組合わせ情報２６１とは、主検査モダリティ情報２６３、主検査部位情報２６４、関係コード２６７、及び撮影条件コード２６８が同一である組合わせ情報２６１である。
【００８６】
このように、組合わせ情報２６１は、画像観察装置３の組合わせ操作に応答して記録される。その内容は、組合わせ操作の対象となった画像群の組合わせ方を主画像の種類毎に一般化して表わしており、組合わせ方は、主画像と当該画像群に含まれる各画像との関係、又はこれに加えて当該画像群に含まれる各画像の撮影条件とによって特定される。
【００８７】
Ｓ０３及びＳ０４における画像検索及び組合わせ方の提示の動作を更に詳細に説明する。図９は、Ｓ０３及びＳ０４における組合わせ情報２６１を用いた画像検索及び組合わせ方の提示の動作を示すフローチャートである。
【００８８】
まず、操作部３１を用いた主画像の選択操作があると（Ｓ０２）、検索部２５は、主画像を特定する情報をデータベース２２で検索し（Ｓ４１）、データ記憶部２３から主画像を取得する（Ｓ４２）。
【００８９】
主画像を取得すると、検索部２５は、取得した主画像の付帯情報からモダリティ情報と部位情報とを読み出す（Ｓ４３）。これら情報を読み出すと、検索部２５は、組合わせ情報テーブル２６を参照して、読み出したモダリティ情報と部位情報に一致する主検査モダリティ情報２６３と主検査部位情報２６４を含む組合わせ情報２６１を特定する（Ｓ４４）。そして、検索部２５は、特定した組合わせ情報２６１のうち、評価値情報２６９が所定値以上のものを絞り込む（Ｓ４５）。
【００９０】
検索部２５は、絞り込んだ組合わせ情報２６１から関係コード２６７を読み出す（Ｓ４６）。そして、検索部２５は、関係コード２６７が表わす相対的な実施時期を主画像を基点とした実施時期に換算し、その換算された実施時期に撮影された画像を特定する（Ｓ４７）。
【００９１】
Ｓ４７では、実施時期の換算により画像が特定される。具体的には、検索部２５は、関係情報取得テーブル２８を参照して、関係コード２６７から相対的な実施時期とモダリティ情報を取得する。そして、検索部２５は、主画像のレコードと、主画像と同一患者ＩＤ及び取得したモダリティ情報を含むレコード群とを、検査ＵＩＤの重複を排除してデータベース２２から抽出し、時系列順に並び替える。そして検索部２５は、それらのレコード群を主画像のレコードからスタートして時系列を遡り、一つ遡る毎に相対的な実施時期が示す値を１ずつカウントダウンしていき、カウントダウンの結果、０となったときのレコードを特定する。
【００９２】
更に、検索部２５は、絞り込んだ組合わせ情報２６１から撮影条件コード２６８を読み出す（Ｓ４８）。そして、検索部２５は、撮影条件コード２６８に該当する画像を絞り込む（Ｓ４９）。
【００９３】
Ｓ４９では、撮影条件コード２６８に対応する撮影条件を撮影条件情報取得テーブル２９から取得する。そして、Ｓ４７で特定したレコードに含まれる検査ＵＩＤ及び取得した撮影条件に一致するレコードをデータベース２２から特定する。
【００９４】
画像が絞り込まれると、検索部２５は、データ記憶部２３からそのレコードで特定される医用画像を取得し（Ｓ５０）、関係コード２６７を関連づけておく（Ｓ５１）。
【００９５】
検索部２５は、関係コード２６７に含まれる全コードについて医用画像を取得するまで（Ｓ５２，Ｙｅｓ）、このＳ４７乃至Ｓ５１の処理を繰り返す。さらに、検索部２５は、絞り込んだ全組合わせ情報２６１の関係コード２６７について医用画像を取得するまで（Ｓ５３，Ｙｅｓ）、このＳ４６乃至Ｓ５１の処理を繰り返す。
【００９６】
主画像と組合わせ情報２６１に係る医用画像を取得すると、表示制御部３２は、絞り込んだ組合わせ情報２６１毎に組合わせ画像３５６を生成する（Ｓ５４）。具体的には、表示制御部３２は、一の組合わせ情報２６１に含まれる各関係コード２６７と同一の値が関連づけられた医用画像同士を並べてサムネイル化し、並べた医用画像を特定する情報を関連づけておく。表示制御部３２は、絞り込んだ全ての組合わせ情報２６１について終了するまで（Ｓ５５，Ｙｅｓ）、このＳ５４の処理を行う。
【００９７】
そして、表示制御部３２は、生成した組合わせ画像３５６を評価値情報２６９の値が大きい順に組合わせリスト表示領域３５５に配置し（Ｓ５６）、ビューア画面３５を更新して表示部３３に表示させる（Ｓ５７）。
【００９８】
操作部３１を用いて組合わせ画像３５６が選択されると（Ｓ５８）、表示制御部３２は、その組合わせ画像３５６に関連づけられた画像群を画像表示領域３５２に配置し（Ｓ５９）、ビューア画面３５を更新して表示部３３に表示させる（Ｓ６０）。
【００９９】
図１０は、このような画像観察システム１による画像表示の具体例を示す模式図である。図１０において区切り線Ａより上図は、前回までの読影においてされた組合わせ操作に応答した処理を示し、区切り線Ａより下図は、今回の読影における画像観察システム１の処理を示す。
【０１００】
前回までの読影において、図中（１）のように、検査ａの画像が選択操作されたものとする。そして、この読影作業前に組合わせ情報２６１の蓄積はないものとする。この場合、まず図中（２）に示すように、組合わせリスト表示領域３５５に表示されるのは、検査ａの画像及びこの画像のシリーズに対応する共有オブジェクトの参照情報で特定される画像を組み合わせた組合わせ画像３５６である。
【０１０１】
このとき、検索部２５は、検査ａの画像に付帯するシリーズＵＩＤを含む共有オブジェクトをデータベース２２から検索し、さらに該当の共有オブジェクトに含まれる参照情報をデータベース２２から検索し、当該参照情報で特定される医用画像を取得している。また、検査ａの画像の種類を用いて組合わせ情報テーブル２６を検索するものの、この種類に一致する組合わせ情報２６１は存在しないため、過去の組合わせ操作を再現するための画像は取得されない。
【０１０２】
参照情報で特定される医用画像は、検査ａの前回ＣＴ検査に相当し、撮影条件１で撮影されたものとする。この組合わせ画像３５６が選択されて、図中（３）に示すように、画像表示領域３５２に表示されたものとする。そうすると、図中（４）に示すように、主画像とその前回ＣＴ検査且つ撮影条件１で撮影した画像とを組み合わせる組合わせ方Ａが組合わせ情報２６１として記録される。
【０１０３】
そのほか、図中（３）に示すように、組合わせ操作によって、検査ａの前回ＣＴ検査に相当し、かつ撮影条件１で撮影された画像と、検査ａの前々回ＣＴ検査に相当し、かつ撮影条件２で撮影された画像とが組合わせて画像表示領域３５２に表示されたものとする。そうすると、図中（４）に示すように、主画像の前回ＣＴ検査に相当し、かつ撮影条件１で撮影された画像と、主画像の前々回ＣＴ検査に相当し、かつ撮影条件２で撮影された画像とを組み合わせる組合わせ方Ｂが組合わせ情報２６１として記録される。
【０１０４】
また、図中（３）に示すように、検査ａの画像と、検査ａの前回ＣＲ検査に相当し、撮影条件２で撮影された画像とが組合わせて画像表示領域３５２に表示されると、図中（４）に示すように、主画像と前回ＣＲ検査且つ撮影条件１で撮影した画像とを組み合わせる組合わせ方Ｃが組合わせ情報２６１として記録される。
【０１０５】
この読影はここで終了し、その後、区切り線Ａ以下の新たに読影作業が行われるものとする。このとき、図中（５）に示すように、検査ａの画像と画像診断装置４又は撮影部位が異なる検査ｃの画像が選択操作されたものとする。前回までの読影作業で蓄積された組合わせ情報２６１のうち、検査ｃの画像と同じ種類の主検査モダリティ情報２６３及び主検査部位情報２６４を含む組合わせ情報２６１が存在しない。従って、図中（６）に示すように、この主検査ｃの画像とこれに対応する共有オブジェクトの参照情報で特定される医用画像を組み合わせた組合わせ画像３５６のみが組合わせリスト表示領域３５５に表示される。
【０１０６】
一方、図中（７）に示すように、新たな読影作業時に検査ａの画像と画像診断装置４及び撮影部位が同一の検査ｂの画像が選択操作されたものとする。このとき、図中（８）に示すように、過去に蓄積された組合わせ方Ａ乃至Ｃを表わす組合わせ情報２６１が特定される。但し、組合わせ方Ｃは過去にそれほど組合わせ操作の対象となったことがなく、評価値情報２６９が所定値に満たないものとすると、組合わせ方Ａ及びＢを表わす組合わせ情報２６１のみが絞り込まれる。
【０１０７】
そして、組合わせ方Ａの組合わせ情報２６１の関係コード２６７を参照して、検査ｂの画像と検査ｂの前回に相当するＣＴ検査で得られた画像とが特定される。更に、この組合わせ情報２６１の撮影条件コード２６８を参照して、特定した画像から撮影条件１で撮影したものを絞り込む。当該画像が存在すれば、図中（９）に示すように、それら画像を組み合わせて組合わせ方Ａを提示する組合わせ画像３５６を組合わせリスト表示領域３５５に表示する。
【０１０８】
また、組合わせ方Ｂの組合わせ情報２６１の関係コード２６７を参照して、検査ｂの前回ＣＴ検査で得られた画像と前々回ＣＴ検査で得られた画像とが特定される。更に、この組合わせ情報２６１の撮影条件コード２６８を参照して、検査ｂの前回ＣＴ検査で得られた画像のうち、撮影条件１で撮影した画像を絞り込む。また、この組合わせ情報２６１の撮影条件コード２６８を参照して、検査ｂの前々回ＣＴ検査で得られた画像のうち、撮影条件２で撮影した画像を絞り込む。存在すれば、図中（９）に示すように、それら画像を組み合わせて組合わせ画像３５６を組合わせリスト表示領域３５５に表示する。
【０１０９】
これら提示した組合わせ画像３５６が組合わせ操作により選択されれば、画像表示領域３５２に表示し、さらに表示された組合わせ方を表わす組合わせ情報２６１を生成して記録しておく。
【０１１０】
このように、画像観察システム１は、画像とその画像が撮影された検査時期を関連づけたデータベースを有し、画像を選択する選択操作に応答してその画像を表示し、並べて表示する画像群の組合わせ操作に応答してそれら画像を並べて同時表示する画像観察システムであって、前回までの画像観察で、前記選択操作の対象となった画像を撮影した検査時期を基点として、前記組合わせ操作の対象となった前記画像群を撮影した相対的な検査時期とその組合わせを記録する管理手段と、前記データベースを参照して、前記管理手段に記録された相対的な検査時期を今回の選択操作の対象となった画像の検査時期を基点とした検査時期に換算し、その換算された検査時期に撮影された画像群を検索する検索手段と、前記検索手段で検索された画像群を前記管理手段に記録されている前記組み合わせで表示する表示手段とを備える。
【０１１１】
即ち、組合わせ操作の対象となった画像群の組合わせ方を示す組合わせ情報２６１を記録しておく。そして、主画像の選択操作を受け付けると、組合わせ情報２６１を参照して、組合わせ方に倣ってこの主画像を基準に画像群を検索し、該当の画像群を組み合わせて同時表示する。これにより、過去の読影作業で行われた画像の組合わせ方を再現できるため、読影作業により適当な画像が提示され、読影作業の効率が向上する。
【０１１２】
また、この画像観察システム１は、組合わせ情報２６１に評価値情報２６９を関連づけ、所定以上の評価値情報２６９が関連づけられている組合わせ情報２６１のみを参照するようにした。これにより、過去の読影作業に基づく一般的な組合わせ方を提示することができ、より読影作業の効率が向上する。
【図面の簡単な説明】
【０１１３】
【図１】画像観察システムの構成を示す図である。
【図２】組合わせ情報テーブルを示すデータ構成図である。
【図３】ビューア画面を示す模式図である。
【図４】読影作業における操作とその応答動作を示すフローチャートである。
【図５】組合わせ情報の生成動作を詳細に示すフローチャートである。
【図６】記録判断テーブルを示すデータ構成図である。
【図７】関係情報テーブルを示すデータ構成図である。
【図８】撮影条件情報取得テーブルを示すデータ構成図である。
【図９】組合わせ情報を用いた画像検索及び組合わせ方の提示の動作を示すフローチャートである。
【図１０】画像観察システムによる画像表示の具体例を示す模式図である。
【符号の説明】
【０１１４】
１  画像観察システム
２  画像保管装置
２１  データ登録部
２２  データベース
２３  データ記憶部
２４  組合わせ情報管理部
２５  検索部
２６  組合わせ情報テーブル
２６１  組合わせ情報
２６２  主検査ＵＩＤ
２６３  主検査モダリティ情報
２６４  主検査部位情報
２６５  主検査患者ＩＤ
２６６  操作コード
２６７  関係コード
２６８  撮影条件コード
２６９  評価値情報
２７  記録判断テーブル
２８  関係情報取得テーブル
２９  撮影条件情報取得テーブル
３  画像観察装置
３１  操作部
３２  表示制御部
３３  表示部
３４  組合わせ監視部
３５  ビューア画面
３５１  主画像選択ウィンドウ
３５２  画像表示領域
３５３  検査別タブ
３５４  サムネイルフィールド
３５５  組合わせリスト表示領域
３５６  組合わせ画像
４  画像診断装置
【図１】
2010088709.tif 000003
【図２】
2010088709.tif 000004
【図３】
2010088709.tif 000005
【図５】
2010088709.tif 000006
【図６】
2010088709.tif 000007
【図７】
2010088709.tif 000008
【図８】
2010088709.tif 000009
【図９】
2010088709.tif 000010
【図１０】
2010088709.tif 000011
【図４】
2010088709.tif 000012
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
複数の画像を並べて表示可能な表示部と、
この表示部に表示された複数の画像の組み合わせに関する情報を複数の画像のうちの少なくとも１つの画像の種別を表す情報と関連付けて組み合わせ情報として記憶するとともに、同一内容の組み合わせ情報が記録されている件数を記録しておく管理部と、
前記表示部に表示させる画像を指定入力するための入力部と、
前記入力部により指定された画像の種別を表す情報に基づいて、前記管理部の複数の組み合わせ情報を参照して、画像を検索する検索部と、
検索結果としての複数の画像の各組み合わせを前記件数順に前記表示部に表示させる表示制御部と、
を備えること、
を特徴とする画像観察システム。
【請求項２】
複数の画像を並べて表示可能な表示部と、
この表示部に表示された複数の画像の組み合わせに関する情報を複数の画像のうちの少なくとも１つの画像の種別を表す情報と関連付けて組み合わせ情報として記憶する管理部と、
前記表示部に表示させる画像を指定入力するための入力部と、
前記入力部により指定された画像の種別を表す情報に基づいて、前記管理部の組み合わせ情報を参照して、画像を検索する検索部と、
検索結果としての複数の画像の組み合わせをサムネイル画像の組み合わせで前記表示部に表示させる表示制御部と、
を備えること、
を特徴とする画像観察システム。
【請求項３】
前記複数の画像の組み合わせに関する情報は、画像を撮影した相対的な検査時期を含み、
前記検索部は、前記相対的な検査時期に基づき画像を検索すること、
を特徴とする請求項１又は２に記載の画像観察システム。
【請求項４】
前記複数の画像の組み合わせに関する情報は、各画像の撮影条件を含み、
前記検索部は、前記各画像の撮影条件に基づき画像を検索すること、
を特徴とする請求項１又は２に記載の画像観察システム。
【請求項５】
前記画像の種別を表す情報は、少なくともモダリティ情報と部位情報のいずれかを含むこと、
を特徴とする請求項１又は２に記載の画像観察システム。
【請求項６】
前記検索部は、所定件数以上の組み合わせ情報に基づき画像を検索すること、
を特徴とする請求項１記載の画像観察システム。
【請求項７】
前記管理部は、前記表示部に複数の画像が表示された際に、当該複数の画像の組み合わせ情報を記録すると共に、同一内容の組み合わせ情報が記録されている件数を記録しておき、
前記検索部は、所定件数以上の組み合わせ情報に基づき画像を検索すること、
を特徴とする請求項２記載の画像観察システム。
【手続補正２】
【補正対象書類名】明細書
【補正対象項目名】０００７
【補正方法】変更
【補正の内容】
【０００７】
【特許文献１】特開２００７−１６７６３４号公報
【特許文献２】特開２００８−２００１３９号公報
【手続補正３】
【補正対象書類名】明細書
【補正対象項目名】０００９
【補正方法】変更
【補正の内容】
【０００９】
上記課題を解決するために、請求項１記載の本発明に係る画像観察システムは、複数の画像を並べて表示可能な表示部と、この表示部に表示された複数の画像の組み合わせに関する情報を複数の画像のうちの少なくとも１つの画像の種別を表す情報と関連付けて組み合わせ情報として記憶するとともに、同一内容の組み合わせ情報が記録されている件数を記録しておく管理部と、前記表示部に表示させる画像を指定入力するための入力部と、前記入力部により指定された画像の種別を表す情報に基づいて、前記管理部の複数の組み合わせ情報を参照して、画像を検索する検索部と、検索結果としての複数の画像の各組み合わせを前記件数順に前記表示部に表示させる表示制御部と、を備えること、を特徴とする。
【手続補正４】
【補正対象書類名】明細書
【補正対象項目名】００１０
【補正方法】変更
【補正の内容】
【００１０】
上記課題を解決するために、請求項２記載の本発明に係る画像観察システムは、複数の画像を並べて表示可能な表示部と、この表示部に表示された複数の画像の組み合わせに関する情報を複数の画像のうちの少なくとも１つの画像の種別を表す情報と関連付けて組み合わせ情報として記憶する管理部と、前記表示部に表示させる画像を指定入力するための入力部と、前記入力部により指定された画像の種別を表す情報に基づいて、前記管理部の組み合わせ情報を参照して、画像を検索する検索部と、検索結果としての複数の画像の組み合わせをサムネイル画像の組み合わせで前記表示部に表示させる表示制御部と、を備えること、を特徴とする。
【手続補正５】
【補正対象書類名】明細書
【補正対象項目名】００１１
【補正方法】変更
【補正の内容】
【００１１】
前記複数の画像の組み合わせに関する情報は、画像を撮影した相対的な検査時期を含み、前記検索部は、前記相対的な検査時期に基づき画像を検索するようにしてもよい（請求項３記載の発明に相当）。
【手続補正６】
【補正対象書類名】明細書
【補正対象項目名】００１２
【補正方法】変更
【補正の内容】
【００１２】
前記複数の画像の組み合わせに関する情報は、各画像の撮影条件を含み、前記検索部は、前記各画像の撮影条件に基づき画像を検索するようにしてもよい（請求項４記載の発明に相当）。
【手続補正７】
【補正対象書類名】明細書
【補正対象項目名】００１３
【補正方法】変更
【補正の内容】
【００１３】
前記画像の種別を表す情報は、少なくともモダリティ情報と部位情報のいずれかを含むようにしてもよい（請求項５記載の発明に相当）。
【手続補正８】
【補正対象書類名】明細書
【補正対象項目名】００１４
【補正方法】変更
【補正の内容】
【００１４】
前記検索部は、所定件数以上の組み合わせ情報に基づき画像を検索するようにしてもよい（請求項６記載の発明に相当）。
【手続補正９】
【補正対象書類名】明細書
【補正対象項目名】００１５
【補正方法】変更
【補正の内容】
【００１５】
前記管理部は、前記表示部に複数の画像が表示された際に、当該複数の画像の組み合わせ情報を記録すると共に、同一内容の組み合わせ情報が記録されている件数を記録しておき、前記検索部は、所定件数以上の組み合わせ情報に基づき画像を検索するようにしてもよい（請求項７記載の発明に相当）。